(57)【要約】【課題】  コンピュータシステムのシステム性能情報から性能レポートを自動的に生成する。【解決手段】  コンピュータシステムの性能に関する情報をまとめた性能レポートを出力するシステム性能情報出力装置であって，コンピュータシステムを管理するオペレーティングシステムの性能に関する情報であるシステム性能情報１１２を受信する受信部と，受信したシステム性能情報１１２を分析する分析部と，システム性能情報１１２を分析した結果から，コンピュータシステムの性能レポート１３０を出力するレポート出力部と，を含むことを特徴とする，システム性能情報出力装置１２０が提供される。【選択図】    図１
2007241534.tif 000002
【特許請求の範囲】
【請求項１】
コンピュータシステムの性能に関する情報をまとめた性能レポートを出力するシステム性能情報出力装置であって：
コンピュータシステムを管理するオペレーティングシステムの性能に関する情報であるシステム性能情報を受信する受信部と；
受信した前記システム性能情報を分析する分析部と；
前記システム性能情報を分析した結果から，コンピュータシステムの性能レポートを出力するレポート出力部と；
を含むことを特徴とする，システム性能情報出力装置。
【請求項２】
外部からウェブブラウザを介してアクセス可能であるウェブページを表示するウェブページ表示部をさらに含み，
前記ウェブページ表示部が表示するウェブページを介して，ウェブブラウザから前記システム性能情報の送信が可能であることを特徴とする，請求項１に記載のシステム性能情報出力装置。
【請求項３】
前記システム性能情報は，前記コンピュータシステムに対する負荷テストによって得られた情報であることを特徴とする，請求項１または２に記載のシステム性能情報出力装置。
【請求項４】
前記システム性能情報は，前記コンピュータシステムにバッチ処理を実行することによって得られた情報であることを特徴とする，請求項１〜３に記載のシステム性能情報出力装置。
【請求項５】
前記レポート出力部は，前記性能レポートをスプレッドシート形式で出力することを特徴とする，請求項１〜４に記載のシステム性能情報出力装置。
【請求項６】
前記レポート出力部は，前記性能レポートをテキスト形式で出力することを特徴とする，請求項１〜４に記載のシステム性能情報出力装置。
【請求項７】
コンピュータシステムの性能に関する情報をまとめた性能レポートを出力するコンピュータプログラムであって：
コンピュータをして，
コンピュータシステムを管理するオペレーティングシステムの性能に関する情報であるシステム性能情報を受信する受信する処理と；
受信した前記システム性能情報を分析する処理と；
前記システム性能情報を分析した結果から，コンピュータシステムの性能レポートを出力する処理と；
を実行せしめることを特徴とする，コンピュータプログラム。
【請求項８】
前記性能レポートは，スプレッドシート形式で出力されることを特徴とする，請求項７に記載のコンピュータプログラム。
【請求項９】
前記性能レポートは，テキスト形式で出力されることを特徴とする，請求項８に記載のコンピュータプログラム。
【発明の詳細な説明】
【技術分野】
【０００１】
本発明は，システム性能情報出力装置およびコンピュータプログラムに関する。
【背景技術】
【０００２】
サーバコンピュータやホストコンピュータのようなコンピュータシステムを構築する際には，システムを構築するシステム構築者は，オペレーティングシステム（Ｏｐｅｒａｔｉｎｇ  Ｓｙｓｔｅｍ：ＯＳ）を構成する設定情報であるシステム構成情報の設計を行う。そして，システム構築者は設計したシステム構成情報に従ってＯＳのインストールを行う。
【０００３】
システム構成情報には，例えばＯＳのインストールに必要なコンピュータ名，ＩＰ（Ｉｎｔｅｒｎｅｔ  Ｐｒｏｔｏｃｏｌ）アドレスやサブネットマスク，デフォルトゲートウェイ等のネットワークの設定値，カーネルの定義情報（コンフィグレーション）の値等が含まれる。そして，システム構築者は設計したシステム構成情報に従ってＯＳのインストールを行う。
【０００４】
コンピュータシステムを実際に運用する前には，設計したシステム構成情報がコンピュータシステムの運用に適しているものであるかどうかを確認するために，コンピュータに対して負荷テストを実施する。負荷テストの種類としては，ラッシュテストや連続テストなどがある。ラッシュテストとは，多量のデータを処理させることでシステムに負荷をかけて検証するものであり，連続テストとは，システムを長時間稼働することでシステムに負荷をかけて検証するものである。
【０００５】
コンピュータシステムへ負荷テストを行うと，負荷テストの結果得られた情報の分析を行う。コンピュータシステムへの負荷テストによって得られるシステムの性能に関する情報（以下，システムの性能に関する情報のことを「システム性能情報」と称する）をコンピュータシステムから回収する。回収したシステム性能情報のデータを表計算ソフトのスプレッドシートやデータベース等に入力して，システム性能情報を分析することで，設計したシステム構成情報がコンピュータシステムの運用に適しているものであるかどうかを判断することができる。ここで，システム性能情報とは，例えばＣＰＵ（Ｃｅｎｔｒａｌ  Ｐｒｏｃｅｓｓｉｎｇ  Ｕｎｉｔ）の使用率，メモリの使用量および使用率，ハードディスクの容量などである。
【０００６】
負荷テストによって得られるシステム性能情報は，例えば特許文献１の方法により，一括して取得することができる。取得して得られるシステム性能情報を基に，負荷テストの結果の分析を行い，適正なシステム構成情報の設定を行う。
【０００７】
【特許文献１】特開２００５−２６６９１９号公報
【発明の開示】
【発明が解決しようとする課題】
【０００８】
しかし，負荷テストや連続テストによって得られるシステム性能情報はデータ量が多く，スプレッドシートへの入力作業に非常に時間がかかるという問題があった。
【０００９】
また，テストを行うエンジニアによっては取得するシステム性能情報にばらつきがあり，情報の取得漏れが生じる場合もあり，負荷テストの分析を正確に行うことができないという問題もあった。
【００１０】
そこで，本発明は，このような問題に鑑みてなされたもので，その目的とするところは，コンピュータシステムのシステム性能情報から性能レポートを自動的に生成することができる，新規かつ改良された，システム性能情報出力装置およびコンピュータプログラムを提供することにある。
【課題を解決するための手段】
【００１１】
上記課題を解決するために，本発明のある観点によれば，コンピュータシステムの性能に関する情報をまとめた性能レポートを出力するシステム性能情報出力装置であって，コンピュータシステムを管理するオペレーティングシステムの性能に関する情報であるシステム性能情報を受信する受信部と，受信したシステム性能情報を分析する分析部と，システム性能情報を分析した結果から，コンピュータシステムの性能レポートを出力するレポート出力部と，を含むことを特徴とする，システム性能情報出力装置が提供される。
【００１２】
かかる構成によれば，受信部はシステム性能情報を受信し，分析部は受信部が受信したシステム性能情報を分析し，レポート出力部は分析部が分析したシステム性能情報の内容を用いて性能レポートを出力する。その結果，本発明のある観点によるシステム性能情報出力装置は，システム性能情報から容易に性能レポートを生成することができる。また，システム性能情報のファイルから値の読み取りを行うことで値の転記漏れが無くなり，負荷テストを行ったときのコンピュータシステムにかかる負荷を正確に分析することができる。
【００１３】
上記システム性能情報出力装置は，この装置の外部からウェブブラウザを介してアクセス可能であるウェブページを表示するウェブページ表示部をさらに含み，ウェブページ表示部が表示するウェブページを介して，ウェブブラウザからシステム性能情報の送信が可能であってもよい。かかる構成によれば，ウェブページ表示部は，ウェブブラウザからシステム性能情報の送信が可能なウェブページを表示する。その結果，ウェブページ表示部が表示するウェブページにアクセスできる環境であれば，その環境からシステム性能情報を送信することができる。
【００１４】
システム性能情報は，コンピュータシステムに対する負荷テストによって得られた情報であってもよい。その結果，コンピュータシステムに対する負荷テストによって得られた結果を正確に分析することができる。
【００１５】
システム性能情報は，コンピュータシステムにバッチ処理を実行することによって得られた情報であってもよい。その結果，コンピュータシステムのシステム性能情報を漏れなく収集して，システム性能情報の分析ができる。
【００１６】
レポート出力部は，性能レポートをスプレッドシート形式で出力してもよく，テキスト形式で出力してもよい。その結果，性能レポートをスプレッドシートの形式で出力することで，１つのファイルに複数の性能レポートをまとめて生成して出力することができ，また，出力された性能レポートの内容を用いてグラフを生成することができる。また，性能レポートをテキスト形式で出力することで，端末にスプレッドシートを表示させるためのソフトウェアがインストールされていない場合のようにスプレッドシートを表示することができない環境であっても，性能レポートを閲覧することが可能となる。
【００１７】
上記課題を解決するために，本発明の別の観点によれば，コンピュータシステムの性能に関する情報をまとめた性能レポートを出力するコンピュータプログラムであって，コンピュータをして，コンピュータシステムを管理するオペレーティングシステムの性能に関する情報であるシステム性能情報を受信する受信する処理と，受信したシステム性能情報を分析する処理と；
システム性能情報を分析した結果から，コンピュータシステムの性能レポートを出力する処理と，を実行せしめることを特徴とする，コンピュータプログラムが提供される。
【００１８】
かかる構成によれば，受信したシステム性能情報を分析し，分析したシステム性能情報の内容を用いて性能レポートを出力する。その結果，本発明の別の観点によるコンピュータプログラムは，システム性能情報から容易に性能レポートを生成することができる。また，システム性能情報のファイルから値の読み取りを行うことで値の転記漏れが無くなり，負荷テストを行ったときのコンピュータシステムにかかる負荷を正確に分析することができる。
【００１９】
性能レポートは，スプレッドシート形式で出力されていてもよく，テキスト形式で出力されていてもよい。その結果，性能レポートをスプレッドシートの形式で生成することで，１つのファイルに複数の性能レポートをまとめて生成することができ，また，生成された性能レポートの内容を用いてグラフを生成することができる。また，性能レポートをテキスト形式で生成することで，端末にスプレッドシートを表示させるためのソフトウェアがインストールされていない場合のようにスプレッドシートを表示することができない環境であっても，性能レポートを閲覧することが可能となる。
【発明の効果】
【００２０】
以上説明したように本発明によれば，コンピュータシステムのシステム性能情報からスプレッドシートを自動的に生成することができる，システム性能情報出力装置およびコンピュータプログラムを提供できるものである。
【発明を実施するための最良の形態】
【００２１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２２】
図１は，本発明の一実施形態にかかるシステム性能情報出力装置について説明する説明図である。本発明の一実施形態にかかるシステム性能情報出力装置１２０は，コンピュータシステム１１０のシステム性能情報１１２を受信し，システム性能情報１１２の内容を分析して，性能レポート１３０を出力することを特徴とする。
【００２３】
コンピュータシステム１１０は，コンピュータシステムを構築するシステム構築者によって，ＯＳのインストールや，ＯＳインストール後のコンピュータ名の設定，ＩＰアドレスやサブネットマスク，デフォルトゲートウェイ等のネットワークの設定，カーネルの設定等が行われる。そして，コンピュータシステム１１０は，コンピュータシステムに負荷テストを実施することで，負荷テストの結果であるシステム性能情報１１２を生成する。
【００２４】
システム性能情報出力装置１２０は，性能レポート１３０を生成する際には，コンピュータシステム１１０からシステム性能情報１１２を受信する。システム性能情報１１２は複数のファイルが纏められた形式でシステム性能情報出力装置１２０に送信される。システム性能情報１１２はＦＴＰ（Ｆｉｌｅ  Ｔｒａｎｓｆｅｒ  Ｐｒｏｔｏｃｏｌ）方式でコンピュータシステム１１０からシステム性能情報出力装置１２０に送信してもよく，ＨＴＴＰ（ＨｙｐｅｒＴｅｘｔ  Ｔｒａｎｓｆｅｒ  Ｐｒｏｔｏｃｏｌ）方式で送信してもよい。
【００２５】
コンピュータシステム１１０のシステム性能情報１１２は，本実施形態ではテキストファイルの形式であることを特徴とする。本実施形態においては，システム性能情報１１２を取得する際には，情報の取得漏れを防ぐため，あらかじめ決められた情報を取得するバッチファイルを作成し，そのバッチファイルを実行することによって取得する。しかし，本発明においてはシステム性能情報１１２の収集方法はかかる例に限定されない。例えば，コンピュータシステム１１０に負荷テストを実施した結果生成されたシステム性能情報１１２を直接取得してもよい。
【００２６】
以上，図１を用いて本発明の一実施形態にかかるシステム性能情報出力装置について説明した。次に，図２を用いて本発明の一実施形態にかかるシステム性能情報出力装置の構成について説明する。
【００２７】
図２は，本発明の一実施形態にかかるシステム性能情報出力装置の構成について説明する説明図である。図２に示したように，本発明の一実施形態にかかるシステム性能情報出力装置１２０は，受信部１２２と，分析部１２４と，レポート出力部１２６と，ウェブページ表示部１２７と，制御部１２８と，記憶部１２９と，を含んで構成される。
【００２８】
受信部１２２は，コンピュータシステムを構成するオペレーティングシステムの性能に関する情報であるシステム性能情報１１２をコンピュータシステム１１０から受信するものである。システム性能情報１１２は，図１のようにコンピュータシステム１１０から直接送信してもよく，一旦別の端末（パーソナルコンピュータ等）にシステム性能情報１１２を保管しておき，その端末から送信してもよい。
【００２９】
分析部１２４は，受信部１２２が受信したシステム性能情報１１２を分析するものである。分析部１２４でシステム性能情報１１２を分析することによって，コンピュータシステム１１０の性能に関する情報を集計し，集計したものをレポート出力部１２６に送る。
【００３０】
レポート出力部１２６は，分析部１２４で分析したシステム性能情報の集計結果を用いて，性能レポート１３０の出力を行う。本実施形態においては，性能レポート１３０はスプレッドシートの形式で出力する。性能レポート１３０をスプレッドシートの形式で出力すると，スプレッドシートによっては表に記入した値を利用してグラフを作成する機能を有しているものもあるため，そのようなスプレッドシートを用いると，システム性能情報出力装置で出力した性能レポートからグラフを作成することができる。その結果，システム性能情報をより視覚的に把握することができる。
【００３１】
なお，本実施形態においては性能レポート１３０をスプレッドシートの形式で出力しているが，本発明はこれに限定されない。例えば，性能レポート１３０は，スプレッドシートの形式以外にテキストファイルの形式であってもよい。性能レポートをテキスト形式で生成することで，端末にスプレッドシートを表示させるためのソフトウェアがインストールされていない場合のようにスプレッドシートを表示することができない環境であっても，性能レポートを閲覧することが可能となる。
【００３２】
ウェブページ表示部１２７は，外部からウェブブラウザを介してアクセス可能であるウェブページを表示するものである。表示されるウェブページは，ファイルの送信が可能であるように作成されたものであり，システム性能情報出力装置１２０は，ウェブページ表示部１２７が表示するウェブページを介してシステム性能情報が送信されてもよい。
【００３３】
制御部１２８は，システム性能情報出力装置１２０の各部の動作を制御するものである。制御部１２８は，例えばＣＰＵ，ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等から構成されている。
【００３４】
記憶部１２９は，システム性能情報出力装置１２０の各種情報を記憶させるものであり，例えばハードディスクドライブやＣＤ−ＲＯＭ（Ｃｏｍｐａｃｔ  Ｄｉｓｋ  Ｒｅａｄ  Ｏｎｌｙ  Ｍｅｍｏｒｙ），ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）のような記憶媒体で構成されている。
【００３５】
記憶部１２９には，制御部１２８からの呼び出しに応じて，受信部１２２と，分析部１２４と，レポート出力部１２６と，ウェブページ表示部１２７と，を制御する処理を実行するコンピュータプログラムを格納していてもよい。
【００３６】
以上，図２を用いて本発明の一実施形態にかかるシステム性能情報出力装置の構成について説明した。次に，図３を用いて本発明の一実施形態にかかるシステム性能情報の性能レポートの出力方法について説明する。
【００３７】
図３は，本発明の一実施形態にかかるシステム性能情報の性能レポートの出力方法について説明する流れ図である。まずコンピュータシステム１１０のシステム性能情報１１２を収集する（ステップＳ１１０）。
【００３８】
本実施形態においては，コンピュータシステム１１０のシステム性能情報１１２を収集する際には，情報の取得漏れを防ぐため，あらかじめ決められたシステム性能情報をコンピュータシステム１１０から取得するためのバッチファイルを作成し，そのバッチファイルを実行することによってシステム性能情報１１２を取得する。なお，システム性能情報１１２の収集方法はかかる例に限定されない。例えば，コンピュータシステム１１０に負荷テストを実施した結果生成されたファイルを直接取得してもよい。
【００３９】
コンピュータシステム１１０のシステム性能情報１１２を収集すると，収集したシステム性能情報１１２をシステム性能情報出力装置１２０に送信する（ステップＳ１２０）。システム性能情報出力装置１２０の受信部１２２がシステム性能情報１１２を受信すると，受信したシステム性能情報を分析部１２４に送り，分析部１２４がシステム性能情報１１２の分析を行う。
【００４０】
まず分析部１２４は，システム性能情報１１２の中からＣＰＵ使用率に関する情報を取得する（ステップＳ１３０）。システム性能情報１１２の中からＣＰＵ使用率に関する情報を取得すると，まだ読み込んでいないＣＰＵ使用率に関する情報が記録されているファイルがあるかどうかを判断する（ステップＳ１４０）。
【００４１】
ステップＳ１４０で，まだ読み込んでいないＣＰＵ使用率に関する情報が記録されているファイルが存在すると判断した場合には，上記ステップＳ１３０に戻って，まだ読み込んでいない別のファイルからＣＰＵ使用率に関する情報を取得する。
【００４２】
上記ステップＳ１４０で，読み込んでいないＣＰＵ使用率に関する情報が記録されているファイルがもう存在しないと判断した場合には，取得した情報を用いて，ＣＰＵ使用率に関する情報をまとめた性能レポートを生成する（ステップＳ１５０）。
【００４３】
ＣＰＵ使用率に関する情報をまとめた性能レポートの生成が完了すると，次にメモリ使用量に関する情報をまとめた性能レポートの生成を行う。まず，システム性能情報１１２の中からメモリ使用量に関する情報を取得する（ステップＳ１６０）。
【００４４】
分析部１２４は，メモリ使用量に関する情報を取得すると，まだ読み込んでいないメモリ使用量に関する情報が記録されているファイルがまだ残っているかどうかを判断する（ステップＳ１７０）。
【００４５】
まだ残っていると判断した場合には，上記ステップＳ１６０に戻って，残っている別のファイルからメモリ使用量に関する情報を取得する。上記ステップＳ１７０で，読み込むファイルがもう残っていないと判断した場合には，取得した情報を用いて，メモリ使用量に関する情報をまとめた性能レポートを生成する（ステップＳ１８０）。
【００４６】
メモリ使用量に関する情報をまとめた性能レポートの生成が完了すると，次に，取得したメモリ使用量に関する情報を用いて，メモリ使用量の最大値，最小値および平均値の値を算出する（ステップＳ１９０）。
【００４７】
メモリ使用量に関する情報をまとめた性能レポートの生成が完了すると，次にディスク使用率に関する情報をまとめた性能レポートの生成を行う。まず，システム性能情報１１２の中からディスク使用率に関する情報を取得する（ステップＳ２００）。
【００４８】
ディスク使用率に関する情報を取得すると，読み込むファイルがまだ残っているかどうかを判断し（ステップＳ２１０），まだ残っていると判断した場合には，上記ステップＳ２００に戻って，残っている別のファイルからディスク使用率に関する情報を取得する。上記ステップＳ２１０で，読み込むファイルがもう残っていないと判断した場合には，取得した情報を用いて，ディスク使用率に関する情報をまとめた性能レポートを生成する（ステップＳ２２０）。
【００４９】
ディスク使用率に関する情報をまとめた性能レポートの生成が完了すると，次に，取得したディスク使用率に関する情報を用いて，ディスク使用率の最大値，最小値および平均値の値を算出する（ステップＳ２３０）。
【００５０】
以上のように，ＣＰＵ使用率，メモリ使用量，ディスク使用率に関する情報を取得して，取得した情報を記した性能レポートを出力する。図４は，本発明の一実施形態にかかるメモリ利用率に関する性能レポートの一例を示す説明図であり，図５は，本発明の一実施形態にかかるＣＰＵ使用率に関する性能レポートの一例を示す説明図である。
【００５１】
図４および図５に示した性能レポートは，一番左の「Ｔｉｍｅ」列および「Ｄａｔｅ  Ｔｉｍｅ」列に時刻を表示し，その時刻におけるメモリ使用量やＣＰＵ使用率を表示している。そして，各時刻におけるメモリの使用量の下には，それぞれの値の最大値，最小値および平均値を表示している。
【００５２】
図４に示した性能レポートを例に説明すると，左から２番目の列の「Ｔｏｔａｌ」はメモリ全体の使用量を示している。メモリ全体の使用量が一番多かったのは，「Ｔｉｍｅ」が「０９／０１／０３  １３：４３：３０」の「２３８５．９２」であり，メモリの使用量が一番少なかったのは，「Ｔｉｍｅ」が「０９／０１／０３  １３：３２：０４」の「２３３４．７２」である。そして，平均値は（２３３４．７２＋２３５５．２＋２３７５．６８＋２３７５．６８＋２３８５．９２＋２３８５．９２＋２３８５．９２）／７＝２３７１．２９１（小数点以下第４位を四捨五入）である。
【００５３】
従って，最大値を示す「ｍａｘ」欄には「２３８５．９２」，最小値を示す「ｍｉｎ」欄には「２３３４．７２」，そして平均値を示す「ａｖｅ」欄には「２３７１．２９１」を記す。その他の列も同様に，最大値と最小値を取得し，平均値を算出する。そして取得した最大値および最小値並びに算出した平均値をそれぞれ記す。
【００５４】
また，図５に示したＣＰＵ使用率に関する性能レポートは，ＣＰＵを４つ備えるコンピュータシステムにおけるＣＰＵ使用率を集計したものである。例えば，１番上の行の「Ｄａｔｅ  Ｔｉｍｅ」列が「０９／０１／０３  １３：３１：２７」のＣＰＵ使用率は，それぞれ「１５．３」，「５．６」，「１１．１」および「１．４」（単位は％）であることを示している。
【００５５】
なお，図５に示したＣＰＵ使用率に関する性能レポートでは，それぞれのＣＰＵのＣＰＵ使用率のみ表示し，図４の様に最大値，最小値および平均値を表示していないが，ＣＰＵ使用率に関しても最大値，最小値を取得し，平均値を算出して，最大値，最小値および平均値を表示してもよい。
【００５６】
これまでは，コンピュータシステムに対する負荷テストによって得られるシステム性能情報のファイルを１つ１つ開き，システム性能情報のファイルに記されている値を確認し，その値をスプレッドシートやテキストファイルに転記していた。しかし，本実施形態によれば，このようにシステム性能情報をシステム性能情報出力装置に読み込ませることで，短時間でシステム性能情報から性能レポートを生成することができる。また，システム性能情報のファイルから値の読み取りを行うことでシステム性能情報の値の転記漏れが無くなり，負荷テストを行ったときのコンピュータシステムにかかる負荷を正確に分析することが可能となる。
【００５７】
また，スプレッドシートによっては表に記入した値を利用してグラフを作成する機能を有しているものもある。そのようなスプレッドシートを用いると，システム性能情報出力装置で出力した性能レポートからグラフを作成することができるため，システム性能情報をより視覚的に把握することができる。
【００５８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００５９】
例えば，図３に示したシステム性能情報の性能レポートの出力方法について説明する流れ図では，ＣＰＵ使用率，メモリ使用量，ディスク使用率の順番に性能レポートを生成したが，順番はこれに限られるものではない。また，性能レポートととして出力する内容も，ＣＰＵ使用率，メモリ使用量およびディスク使用率に限られるものではなく，メモリ使用率やディスク使用量等の情報を収集して出力してもよい。
【産業上の利用可能性】
【００６０】
本発明は，システム性能情報出力装置およびコンピュータプログラムに適用可能である。
【図面の簡単な説明】
【００６１】
【図１】本発明の一実施形態にかかるシステム性能情報出力装置について説明する説明図である。
【図２】システム性能情報出力装置の構成について説明する説明図である。
【図３】システム性能情報の性能レポートの出力方法について説明する流れ図である。
【図４】メモリ使用量に関する性能レポートの一例を示す説明図である。
【図５】ＣＰＵ使用率に関する性能レポートの一例を示す説明図である。
【符号の説明】
【００６２】
１１０      コンピュータシステム
１１２      システム性能情報
１２０      システム性能情報出力装置
１２２      受信部
１２４      分析部
１２６      レポート出力部
１２７      ウェブページ表示部
１２８      制御部
１２９      記憶部
１３０      性能レポート
【図１】
2007241534.tif 000003
【図２】
2007241534.tif 000004
【図３】
2007241534.tif 000005
【図４】
2007241534.tif 000006
【図５】
2007241534.tif 000007